(57)【要約】【課題】紙葉類処理装置に何らかの問題（部品破損等）が発見され、紙製品への混入が疑われた場合に、当該号機が過去に処理、排出した紙製品が積載されているパレットを迅速に特定できる。【解決手段】複数の紙葉類処理装置から処理がなされた所定数量ごとの紙葉類が複数のパレットの１つに載置されて保管されるものにおいて、紙葉類処理装置からの所定数量ごとの紙葉類に付与される紙葉類ＩＤに対応して、処理がなされた号機番号と保管されるパレットのＩＤを記録し、紙葉類ＩＤとの入力により、上記紙葉類ＩＤに対応する紙葉類を処理した上記紙葉類処理装置の号機番号を出力する。【選択図】      図１
2005339056.tif 000002
【特許請求の範囲】
【請求項１】
複数の紙葉類処理装置から処理がなされた所定数量ごとの紙葉類が複数のパレットの１つに載置されて保管される紙葉類処理システムにおいて、
上記紙葉類処理装置からの所定数量ごとの紙葉類に付与される紙葉類ＩＤに対応して、処理がなされた上記紙葉類処理装置の号機番号と保管されるパレットのＩＤを記録する記録手段と、
上記紙葉類ＩＤとの入力により、上記紙葉類ＩＤに対応する紙葉類を処理した上記紙葉類処理装置の号機番号を出力する出力手段と、
を備えたことを特徴とする紙葉類処理システム。
【請求項２】
複数の紙葉類処理装置から処理がなされた所定数量ごとの紙葉類が複数のパレットの１つに載置されて保管される紙葉類処理システムにおいて、
上記紙葉類処理装置からの所定数量ごとの紙葉類に付与される紙葉類ＩＤに対応して、処理がなされた上記紙葉類処理装置の号機番号と保管されるパレットのＩＤを記録する記録手段と、
上記紙葉類ＩＤと紙葉類処理装置の号機番号との入力により、上記紙葉類ＩＤに対応する紙葉類が載置されているパレットＩＤを出力する出力手段と、
を備えたことを特徴とする紙葉類処理システム。
【請求項３】
複数の紙葉類処理装置から処理がなされた所定数量ごとの紙葉類が複数のパレットの１つに載置されて保管される紙葉類処理システムにおいて、
上記紙葉類処理装置からの所定数量ごとの紙葉類に付与される紙葉類ＩＤが印刷された印刷媒体を発行する発行手段と、
上記紙葉類処理装置からの所定数量ごとの紙葉類に付与される紙葉類ＩＤに対応して、処理がなされた上記紙葉類処理装置の号機番号と保管されるパレットのＩＤを記録する記録手段と、
上記紙葉類ＩＤとの入力により、上記紙葉類ＩＤに対応する紙葉類を処理した上記紙葉類処理装置の号機番号を出力する出力手段と、
を備えたことを特徴とする紙葉類処理システム。
【請求項４】
複数の紙葉類処理装置から処理がなされた所定数量ごとの紙葉類が複数のパレットの１つに載置されて保管される紙葉類処理システムにおいて、
上記紙葉類処理装置からの所定数量ごとの紙葉類に付与される紙葉類ＩＤが印刷された印刷媒体を発行する発行手段と、
上記紙葉類処理装置からの所定数量ごとの紙葉類に付与される紙葉類ＩＤに対応して、処理がなされた上記紙葉類処理装置の号機番号と保管されるパレットのＩＤを記録する記録手段と、
上記紙葉類ＩＤと紙葉類処理装置の号機番号との入力により、上記紙葉類ＩＤに対応する紙葉類が載置されているパレットＩＤを出力する出力手段と、
を備えたことを特徴とする紙葉類処理システム。
【請求項５】
複数の紙葉類処理装置から処理がなされた所定数量ごとの紙葉類が複数のパレットの１つに載置されて保管されるものにおいて、
上記紙葉類処理装置からの所定数量ごとの紙葉類に付与される紙葉類ＩＤに対応して、処理がなされた上記紙葉類処理装置の号機番号と保管されるパレットのＩＤを記録する記録工程と、
上記紙葉類ＩＤとの入力により、上記紙葉類ＩＤに対応する紙葉類を処理した上記紙葉類処理装置の号機番号を出力する出力工程と、
を備えたことを特徴とする紙葉類処理方法。
【請求項６】
複数の紙葉類処理装置から処理がなされた所定数量ごとの紙葉類が複数のパレットの１つに載置されて保管されるものにおいて、
上記紙葉類処理装置からの所定数量ごとの紙葉類に付与される紙葉類ＩＤに対応して、処理がなされた上記紙葉類処理装置の号機番号と保管されるパレットのＩＤを記録する記録工程と、
上記紙葉類ＩＤと紙葉類処理装置の号機番号との入力により、上記紙葉類ＩＤに対応する紙葉類が載置されているパレットＩＤを出力する出力工程と、
を備えたことを特徴とする紙葉類処理方法。
【請求項７】
複数の紙葉類処理装置から処理がなされた所定数量ごとの紙葉類が複数のパレットの１つに載置されて保管されるものにおいて、
上記紙葉類処理装置からの所定数量ごとの紙葉類に付与される紙葉類ＩＤが印刷された印刷媒体を発行する発行工程と、
上記紙葉類処理装置からの所定数量ごとの紙葉類に付与される紙葉類ＩＤに対応して、処理がなされた上記紙葉類処理装置の号機番号と保管されるパレットのＩＤを記録する記録工程と、
上記紙葉類ＩＤとの入力により、上記紙葉類ＩＤに対応する紙葉類を処理した上記紙葉類処理装置の号機番号を出力する出力工程と、
を備えたことを特徴とする紙葉類処理方法。
【請求項８】
複数の紙葉類処理装置から処理がなされた所定数量ごとの紙葉類が複数のパレットの１つに載置されて保管されるものにおいて、
上記紙葉類処理装置からの所定数量ごとの紙葉類に付与される紙葉類ＩＤが印刷された印刷媒体を発行する発行工程と、
上記紙葉類処理装置からの所定数量ごとの紙葉類に付与される紙葉類ＩＤに対応して、処理がなされた上記紙葉類処理装置の号機番号と保管されるパレットのＩＤを記録する記録工程と、
上記紙葉類ＩＤと紙葉類処理装置の号機番号との入力により、上記紙葉類ＩＤに対応する紙葉類が載置されているパレットＩＤを出力する出力工程と、
を備えたことを特徴とする紙葉類処理方法。
【発明の詳細な説明】
【技術分野】
【０００１】
この発明は、紙葉類を鑑査する複数の鑑査機のそれぞれにおいて、良券と鑑査された１００枚に対して１束単位の施封がなされ、さらに１０束の単位で封包がなされた後、１０束の単位の紙葉類がコンベアによって搬送され、パレットに積まれ金庫に入庫される紙葉類処理システムに関する。
【背景技術】
【０００２】
従来、紙葉類を鑑査する複数の鑑査機（紙葉類処理装置）のそれぞれにおいて、良券と鑑査された１００枚に対して１束単位の施封がなされ、さらに１０束の単位で封包がなされた後、１０束の単位の紙葉類がコンベアによって搬送され、パレットに積まれ金庫に入庫される紙葉類処理システムが実用化されている。（特許文献１）
このシステムにおいて、紙葉類処理装置に何らかの問題（部品破損等）が発見され、紙製品への混入が疑われた場合に、当該号機が過去に処理、排出した紙製品が積載されているパレットを迅速に特定する必要がある。
【０００３】
従来は、進捗状況を確認するための計票（処理済製品番号覧）を号機毎に出力することにより、当該号機が過去に処理、排出した製品（記番号）を特定することはできたが、その製品がどのパレットに積載されているかについては、専門の知識を持った技術者が直接データベースを操作して検索処理することにより、パレットを特定していた。
【０００４】
この場合、専門の知識を持った技術者でなければ出来なかった。また、人手により行っていたため、長時間を要していた。
【０００５】
また、出来上がった紙製品に何らかの問題（角折れ、結束不良等）が発見された場合に、複数台ある装置の中から、その紙製品を処理した号機を迅速に特定する必要がある。
【０００６】
従来は、進捗状況を確認するための計票（処理済製品番号一覧）を号機毎に出力して、出力された複数枚の計票の中から該当製品番号を探し出すということを人手で行うことにより、処理号機を特定していた。
【０００７】
この場合、全て人手により行っていたため、長時間を要していた。また、計票を出力する必要が有り、紙資源の無駄使いをしていた。
【特許文献１】特開平８−１９０６５３号
【発明の開示】
【発明が解決しようとする課題】
【０００８】
この発明は、紙葉類処理装置に何らかの問題（部品破損等）が発見され、紙製品への混入が疑われた場合に、当該号機が過去に処理、排出した紙製品が積載されているパレットを迅速に特定できる紙葉類処理システムと紙葉類処理方法を提供することを目的とする。
【０００９】
また、この発明は、紙葉類処理システムにおいて、パレットに搭載されている紙製品に結束位置、結束不良等の問題が発見された場合に、当該製品を処理、排出した号機を検索する機能を有し、短時間に当該号機の調整に入ることができ、紙製品の品質を保持することができる紙葉類処理システムと紙葉類処理方法を提供することを目的とする。
【課題を解決するための手段】
【００１０】
この発明の紙葉類処理システムは、複数の紙葉類処理装置から処理がなされた所定数量ごとの紙葉類が複数のパレットの１つに載置されて保管されるものにおいて、上記紙葉類処理装置からの所定数量ごとの紙葉類に付与される紙葉類ＩＤに対応して、処理がなされた上記紙葉類処理装置の号機番号と保管されるパレットのＩＤを記録する記録手段と、上記紙葉類ＩＤとの入力により、上記紙葉類ＩＤに対応する紙葉類を処理した上記紙葉類処理装置の号機番号を出力する出力手段とを有する。
【００１１】
この発明の紙葉類処理システムは、複数の紙葉類処理装置から処理がなされた所定数量ごとの紙葉類が複数のパレットの１つに載置されて保管されるものにおいて、上記紙葉類処理装置からの所定数量ごとの紙葉類に付与される紙葉類ＩＤに対応して、処理がなされた上記紙葉類処理装置の号機番号と保管されるパレットのＩＤを記録する記録手段と、上記紙葉類ＩＤと紙葉類処理装置の号機番号との入力により、上記紙葉類ＩＤに対応する紙葉類が載置されているパレットＩＤを出力する出力手段とを有する。
【００１２】
この発明の紙葉類処理システムは、複数の紙葉類処理装置から処理がなされた所定数量ごとの紙葉類が複数のパレットの１つに載置されて保管されるものにおいて、上記紙葉類処理装置からの所定数量ごとの紙葉類に付与される紙葉類ＩＤが印刷された印刷媒体を発行する発行手段と、上記紙葉類処理装置からの所定数量ごとの紙葉類に付与される紙葉類ＩＤに対応して、処理がなされた上記紙葉類処理装置の号機番号と保管されるパレットのＩＤを記録する記録手段と、上記紙葉類ＩＤとの入力により、上記紙葉類ＩＤに対応する紙葉類を処理した上記紙葉類処理装置の号機番号を出力する出力手段とを有する。
【００１３】
この発明の紙葉類処理システムは、複数の紙葉類処理装置から処理がなされた所定数量ごとの紙葉類が複数のパレットの１つに載置されて保管されるものにおいて、上記紙葉類処理装置からの所定数量ごとの紙葉類に付与される紙葉類ＩＤが印刷された印刷媒体を発行する発行手段と、上記紙葉類処理装置からの所定数量ごとの紙葉類に付与される紙葉類ＩＤに対応して、処理がなされた上記紙葉類処理装置の号機番号と保管されるパレットのＩＤを記録する記録手段と、上記紙葉類ＩＤと紙葉類処理装置の号機番号との入力により、上記紙葉類ＩＤに対応する紙葉類が載置されているパレットＩＤを出力する出力手段とを有する。
【発明の効果】
【００１４】
この発明は、紙葉類処理装置に何らかの問題（部品破損等）が発見され、紙製品への混入が疑われた場合に、当該号機が過去に処理、排出した紙製品が積載されているパレットを迅速に特定できる紙葉類処理システムと紙葉類処理方法を提供できる。
【００１５】
また、この発明は、紙葉類処理システムにおいて、パレットに搭載されている紙製品に結束位置、結束不良等の問題が発見された場合に、当該製品を処理、排出した号機を検索する機能を有し、短時間に当該号機の調整に入ることができ、紙製品の品質を保持することができる紙葉類処理システムと紙葉類処理方法を提供できる。
【発明を実施するための最良の形態】
【００１６】
以下、この発明の一実施形態について、図面を参照して説明する。
【００１７】
図１は、この発明の紙葉類処理システムを示すものである。
【００１８】
この紙葉類処理システムは、紙葉類の結束および記番号読取を行う紙葉類処理装置１（複数台）、紙葉類処理装置１で発生したデータ（読取結果、排出状態等）を保存・管理するデータベースサーバ２（１台）、紙葉類処理装置１と対にあり紙葉類処理装置１で発生したデータを受信および編集してデータベースサーバ２のデータベース５に登録処理する紙葉類処理端末３（複数台）、紙葉類処理装置１から排出された束（１００枚の紙葉類を１束として施封され）を、１０束づつ包装してパレットに積載し縛着する紙葉類処理装置６、紙葉類処理装置６で処理している束の記番号を読み取り、十束封およびパレットに含まれている束の記番号をデータベースサーバ２に登録処理する紙葉類処理端末７、データベースサーバ２に保存したデータを検索するデータベース端末４から構成され、これらすべての機器がＬＡＮ等で接続されている。データベース５には過去所定期間のデータが保存されている。
【００１９】
紙葉類処理装置１は、紙葉類を結束して記番号を読み取り、結果を紙葉類処理端末３に送信する。このデータを受信した紙葉類処理端末３は、データを編集することにより、号機、記番号、処理日時からなる束情報を生成し、図２に示すように、データベース５の束情報テーブル５ａに追加登録する。
【００２０】
すなわち、紙葉類処理端末６は、紙葉類ＩＤを読取り紙葉類を１０束ずつ包装し、十束封ＩＤを付与して、紙葉類処理端末７に送信する。この十束封ＩＤに対応する紙葉類処理装置１の号機と上記記番号に日時を付加して対応付けして、データベース５の束情報テーブル５ａに追加登録する。
【００２１】
また、紙葉類処理端末７は、紙葉類処理装置６で処理している十束封のＩＤを読み取り、さらに十束封の載置先のパレットのＩＤを読取ることにより、十束封ＩＤ、パレットＩＤからなる十束封情報を生成し、図３に示すように、データベース５の十束封情報テーブル５ｂに追加登録する。
【００２２】
データベース５のパレット情報テーブル５ｃにはパレットＩＤに日時を付加して登録されている。
【００２３】
このような状態において、紙葉類処理装置１に何らかの問題（部品破損等）が発見され、紙製品への混入が疑われた場合に、データベース端末４により十束封の検索モードが選択され、対象の紙葉類処理装置１の号機番号を設定する。
【００２４】
これにより、データベース端末４はデータベース５の束情報テーブル５ａを検索処理し、指定された号機に対応する記番号と十束封ＩＤを読取り、この十束封ＩＤに対するパレットＩＤを十束封情報テーブル５ｂから読取り、対象となる十束封が載置されているパレットＩＤとその十束封の記番号とが案内表示される。
【００２５】
この結果、当該号機が過去に処理、排出した紙製品が積載されているパレットを迅速に特定できる。
【００２６】
上記したように、紙葉類処理システムにおいて、紙葉類処理装置に部品破損等が発見され、紙製品への混入が疑われた場合に、当該号機が過去に処理、排出した紙製品が積載されているパレットを、専門の知識を持たない操作者にも容易に検索でき、短時間に特定することが可能となる。
【００２７】
また、紙葉類処理システムにおいて、紙葉類処理装置に部品破損等が発見され、紙製品への混入が疑われた場合に、当該号機が過去に処理、排出した紙製品が積載されているパレットを、専門の知識を持たない操作者にも容易に検索でき、紙製品の再検査を必要最小限にすることが可能となる。
【００２８】
また、紙葉類処理システムにおいて、紙葉類処理装置に部品破損等が発見され、紙製品への混入が疑われた場合に、当該号機が過去に処理、排出した紙製品が積載されているパレットを特定し、再検査する必要があるパレットを最小限にすることが可能となる。
【００２９】
また、紙葉類処理システムにおいて、パレットに搭載されている紙製品に結束位置、結束不良等の問題が発見された場合に、データベース端末４により紙葉類処理装置１の号機番号の検索モードが選択され、対象の十束封の記番号を設定する。
【００３０】
これにより、データベース端末４はデータベース５の束情報テーブル５ａを検索処理し、指定された記番号に対応する号機を読取り、この号機番号が案内表示される。
【００３１】
この結果、当該製品を処理、排出した号機を検索することができる。
【００３２】
また、紙葉類処理システムにおいて、パレットに搭載されている紙製品に結束位置、結束不良等の問題が発見された場合に、当該製品を処理、排出した号機を検索する機能を有し、短時間に当該号機の調整に入ることが可能である。
【００３３】
また、紙葉類処理システムにおいて、パレットに搭載されている紙製品に結束位置、結束不良等の問題が発見された場合に、当該製品を処理、排出した号機を検索する機能を有し、短時間に当該号機の調整に入ることができ、紙製品の品質を保持することが可能である。
【００３４】
また、紙葉類処理システムにおいて、紙製品を処理した号機を容易に特定することが可能となる。
【００３５】
また、紙葉類処理システムにおいて、紙製品を処理した号機を間違えることなく、短時間に特定することが可能となる。
【００３６】
また、紙葉類処理システムにおいて、紙製品を処理した号機を、帳票出力することなく、短時間に特定することが可能となる。
【図面の簡単な説明】
【００３７】
【図１】この発明の一実施形態を説明するための紙葉類処理システムの概略構成を示すブロック図。
【図２】束情報テーブルの記憶例を示す図。
【図３】十束封情報テーブルの記憶例を示す図。
【図４】パレット情報テーブルの記憶例を示す図。
【符号の説明】
【００３８】
１…紙葉類処理装置、２…データベースサーバ、３…紙葉類処理端末、４…データベース端末、５…データベース、５ａ…束情報テーブル、５ｂ…十束封情報テーブル、５ｃ…パレット情報テーブル、６…紙葉類処理装置、７…紙葉類処理端末。
【図１】
2005339056.tif 000003
【図２】
2005339056.tif 000004
【図３】
2005339056.tif 000005
【図４】
2005339056.tif 000006